(57)【要約】【課題】  サイズの異なった汎用のごみ箱を自在に組み合わせて、積層したり、併置連結することが可能な分別用連結ごみ箱を提供することを目的とする。【解決手段】  上方が開放された適宜形状の複数のごみ箱１０をごみ投入枠体２０を介して積層連結可能なごみ箱連結用投入枠において、前記ごみ投入枠体２０の上部に複数サイズのごみ箱１０の下部を受入れ可能な上部段差部２２を形成するとともに、ごみ投入枠体２０の下部に複数サイズのごみ箱１０の上部を受入れ可能な下部段差部２４を形成したことにより、同じサイズのもの同士はもとより、異なったサイズの汎用のごみ箱１０の複数個を適宜自在に組み合わせて、ごみ投入枠体２０を介して積層することができるので、積層時に下部に配置されることになる汎用のごみ箱１０に対しても、ごみ投入枠体２０を介してごみを投入廃棄することが可能となる。【選択図】  図１
2006282357.tif 000002
【特許請求の範囲】
【請求項１】
上方が開放された適宜形状の複数のごみ箱をごみ投入枠体を介して積層連結可能なごみ箱連結用投入枠において、前記ごみ投入枠体の上部に複数サイズのごみ箱下部を受入れ可能な上部段差部を形成するとともに、ごみ投入枠体の下部に複数サイズのごみ箱上部を受入れ可能な上部段差部を形成したことを特徴とするごみ箱連結用投入枠。  
【請求項２】
前記上部段差部および下部段差部のうち、少なくとも前記下部段差部が階段状の段差部を構成することを特徴とする請求項１に記載のごみ箱連結用投入枠。
【請求項３】
前記上部段差部および下部段差部の表面に軟質材を配設したことを特徴とする請求項１または２に記載のごみ箱連結用投入枠。
【請求項４】
前記上部段差部および下部段差部のうち、少なくとも一方の段差部のごみ箱受入れ径を調整可能に構成したことを特徴とする請求項１から３いずれかに記載のごみ箱連結用投入枠。
【請求項５】
前記上部段差部および下部段差部のうち、少なくとも一方の段差部のごみ箱受入れ径が縮径勝手に構成されたことを特徴とする請求項１から３のいずれかに記載のごみ箱連結用投入枠。
【請求項６】
前記ごみ箱およびごみ投入枠体またはいずれか一方の側面に併置連結のための横連結部を設置したことを特徴とする請求項１から５のいずれかに記載のごみ箱連結用投入枠。
【発明の詳細な説明】
【技術分野】
【０００１】
本発明は、上方が開放された適宜形状の複数のごみ箱をごみ投入枠体を介して積層連結可能なごみ箱連結用投入枠に関する。
【背景技術】
【０００２】
近年、地球環境の劣化や資源の枯渇等の問題を解決するために、ごみ資源のリサイクル化が促進されている。ごみ資源のリサイクルにはごみの分別が欠かせないものであり、各家庭は言うに及ばず、各種の事業所、高速道路のサービスエリア、病院、鉄道の駅舎等人々が多く集まり、多量のごみが放出される施設では、ごみの分別・細分化には多くの苦労や努力がなされているものの、現状のごみ箱は比較的大型の箱状体から構成されており、多種類のごみの分別を行うには広いスペースを要して限界があり、頭を悩ませているところである。そのようなことから、ごみ投入口を正面上部に形成したごみ箱を積層してごみの分別を可能にしたものが提案されたが、ごみ投入口を形成した特殊のごみ箱を構成要件とするため、普及がなされていない。そこで、ごみ投入口を形成しない汎用のごみ箱を積層できるように、ごみ投入口を形成した蓋体を介して積層するごみ箱が提案された（例えば下記特許文献１参照）。
【特許文献１】特開平８−１３３４０９号公報（請求項１および図２参照）
【発明の開示】
【発明が解決しようとする課題】
【０００３】
前記特許文献１に開示されたごみ箱は、図７に示すように、格別にごみ投入口を形成していない汎用のごみ箱１１３と１０１（下部のごみ箱１０１はやや特殊な形状をしているが）を蓋体１０２を介して上下に積層される。蓋体１０２の前方には、回転扉１０４で覆われたごみ投入口１０５が形成されているため、上下のごみ箱１１３と１０１とが積層されていても、このごみ投入口１０５を介して下部のごみ箱１０１にごみを投入廃棄することができる。１１１は上部ごみ箱１１３の蓋である。また、下部ごみ箱１０１の下端に配設されたペダル１０８を踏むことによって、縦溝１１５、スロット１１７、縦溝１１６内に配設されたレバー（図示省略）によって、前記上端部の蓋１１１を開閉することができる。
【０００４】
このような積重ね式の分別ごみ箱により、ある程度の種類のごみの分別が可能となったものの、今後予想されるさらに多種類のごみの分別に対応するには、多段にごみ容器を積み重ねる必要があって、転倒の危険性が高まり実用的ではない。しかも、ごみ容器を積み重ねる場合に、下部のごみ箱の形状が特殊な形状となりがちであり、汎用のごみ箱を積層形態とすることは困難であった。また、ごみ投入口が前面に１か所形成されているだけで、ごみの投入のために正面に廻り込む必要があった。そこで、本件発明者は、汎用のごみ箱であっても複数個数を上下のみなず左右に連結自在にして、今後予想される多種類のごみの分別に対応することを可能にする分別用連結ごみ箱を提案した（特願２００５−６３３４５）。
【０００５】
前記本件発明者の提案になる分別用連結ごみ箱は、図８に示すように、上方が開放された適宜形状のボックス状の複数のごみ箱１０、１０を併置して連結可能な分別用連結ごみ箱において、前記ごみ箱１０の側面等の連結面に雌雄の横連結部材１３、１４を着脱自在に装着したことにより、製品としてのごみ箱１０の梱包・輸送時には、雌雄の横連結部材１３、１４を取り外してごみ箱１０内等に収納することができるので、梱包が嵩ばらず、段ボール等を使用することなく、ビニール梱包等が可能となり、梱包・輸送が安価となるうえに、ごみ投入枠体２０を介在させて複数個のごみ箱１０、１０を上下に積層可能に構成したもので、ごみの分別のために複数個準備したごみ箱１０、１０を積層しても、ごみ箱１０自体に格別の細工をすることなく、投入口２３が四方に形成されたごみ投入枠体２０を利用してごみを四方から投入することができ、単純な構造の汎用のごみ箱１０を積層して狭いスペースにても複数のごみの分別が可能となった。
【０００６】
本発明は、前記本件発明者の提案になる分別用連結ごみ箱をさらに改良して、サイズの異なった汎用のごみ箱を自在に組み合わせて、積層したり、併置連結することが可能な分別用連結ごみ箱を提供することを目的とする。
【課題を解決するための手段】
【０００７】
そのため本発明は、上方が開放された適宜形状の複数のごみ箱をごみ投入枠体を介して積層連結可能なごみ箱連結用投入枠において、前記ごみ投入枠体の上部に複数サイズのごみ箱下部を受入れ可能な上部段差部を形成するとともに、ごみ投入枠体の下部に複数サイズのごみ箱上部を受入れ可能な下部段差部を形成したことを特徴とする。また本発明は、前記上部段差部および下部段差部のうち、少なくとも前記下部段差部が階段状の段差部を構成することを特徴とする。また本発明は、前記上部段差部および下部段差部の表面に軟質材を配設したことを特徴とする。また本発明は、前記上部段差部および下部段差部のうち、少なくとも一方の段差部のごみ箱受入れ径を調整可能に構成したことを特徴とする。また本発明は、前記上部段差部および下部段差部のうち、少なくとも一方の段差部のごみ箱受入れ径が縮径勝手に構成されたことを特徴とする。また本発明は、前記ごみ箱およびごみ投入枠体またはいずれか一方の側面に併置連結のための横連結部を設置したことを特徴とするもので、これらを課題解決のための手段とするものである。
【発明の効果】
【０００８】
本発明では、上方が開放された適宜形状の複数のごみ箱をごみ投入枠体を介して積層連結可能なごみ箱連結用投入枠において、前記ごみ投入枠体の上部に複数サイズのごみ箱下部を受入れ可能な上部段差部を形成するとともに、ごみ投入枠体の下部に複数サイズのごみ箱上部を受入れ可能な下部段差部を形成したことにより、同じサイズのもの同士はもとより、異なったサイズの汎用のごみ箱の複数個を適宜自在に組み合わせて、ごみ投入枠体を介して積層することができるので、積層時に下部に配置されることになる汎用のごみ箱に対しても、ごみ投入枠体を介してごみを投入廃棄することが可能となる。
【０００９】
また、前記上部段差部および下部段差部のうち、少なくとも前記下部段差部が階段状の段差部を構成する場合は、異なったサイズ毎のごみ箱に適合する段差部が選定できて、積層時のごみ箱とごみ投入枠体がたつくことなく確実に嵌合される。さらに、前記上部段差部および下部段差部の表面に軟質材を配設した場合は、ごみ箱とごみ投入枠体の段差部との間に隙間があっても、軟質材の存在により、さらにがたつくことなく、ごみ箱とごみ投入枠体が確実に嵌合される。
【００１０】
さらにまた、前記上部段差部および下部段差部のうち、少なくとも一方の段差部のごみ箱受入れ径を調整可能に構成した場合は、段差部のごみ箱受入れ径を調整することで、ごみ投入枠体に対して適合するごみ箱サイズをさらに自在に選定することが可能になる。また、前記上部段差部および下部段差部のうち、少なくとも一方の段差部のごみ箱受入れ径が縮径勝手に構成された場合は、所定の異なったサイズ径のごみ箱の保持に自動的に適切に対応して、ごみ箱を積層することが可能となる。
【００１１】
さらに、前記ごみ箱およびごみ投入枠体またはいずれか一方の側面に併置連結のための横連結部を設置した場合は、分別のためにごみ箱を複数個準備して積層しても、ごみ投入枠体を利用してごみを投入することができる上下の積層体を、横連結部を介して横方向に併置連結できるので、積層された複数のごみ箱とごみ投入枠体の連結構造物を転倒の虞れがなく、横方向での連結強度を向上させて、積層された縦方向の連結についても有効に助勢することができる。
【発明を実施するための最良の形態】
【００１２】
以下、本発明の実施例を図面に基づいて詳細に説明する。図１は本発明のごみ箱連結用投入枠の第１実施例を示すもので、図１（Ａ）はごみ投入枠体を介した積層状態を示す全体断面図、図１（Ｂ）はその分解斜視図、図２は本発明のごみ箱連結用投入枠の第２実施例を示すごみ投入枠体の断面図および要部拡大図、図３はごみ箱およびごみ投入枠体の梱包・輸送時の断面図、図４は本発明のごみ箱連結用投入枠の第３実施例を示すもので、ごみ箱を併置連結および積層した構造物の正面図、図５は本発明のごみ箱連結用投入枠の第４実施例を示すもので、図５（Ａ）はごみ投入枠体における上部段差部の平面図、図５（Ｂ）はその要部斜視図、図６は本発明のごみ箱連結用投入枠の第５実施例を示すもので、ごみ投入枠体における上部段差部の平面図である。
【実施例１】
【００１３】
本発明の基本的な構成は、図１の第１実施例に示すように、上方が開放された適宜形状の複数のごみ箱１０、１０をごみ投入枠体２０を介して積層連結可能なごみ箱連結用投入枠において、前記ごみ投入枠体２０の上部に複数サイズのごみ箱１０の下部を受入れ可能な上部段差部２２を形成するとともに、ごみ投入枠体２０の下部に複数サイズのごみ箱１０の上部を受入れ可能な下部段差部２４を形成したことを特徴とする。
【００１４】
本実施例では、ごみ箱１０は逆円錐形状の上方に末広がりの汎用のものを使用し、これらを上下に積層するに際してごみ投入枠体２０を介在させたものである。ごみ投入枠体２０は、上部に積層されるごみ箱１０の下部を受け入れる小径縦連結部２１と、下部に積層されるごみ箱１０の上部を受け入れる大径縦連結部２５とを有する。これら小径縦連結部２１と大径縦連結部２５は、軸方向に延びる筒状部を有し、受け入れたごみ箱１０の下部および上部を径方向に脱落させないように規制する。これら小径縦連結部２１と大径縦連結部２５との間の胴部２０Ａの四方には（図示の例では３個であるが、さらに増設されてもよい）ごみ投入口２３が形成されている。
【００１５】
前記小径縦連結部２１と大径縦連結部２５には、胴部２０Ａの径に対して比較的大きな鍔状の上部段差部２２および下部段差部２４が形成され、一点鎖線のように、受け入れたごみ箱の異なったサイズに容易に対応することが可能になる。ごみ投入枠体２０の上部は、連結部２１および段差部２２が形成されていれば、天井部分が形成されることもある。ごみ箱１０およびごみ投入枠体２０は、適宜の材質にて構成され、アルミ等の軽金属、プラスチック等からの一体成形およびこれら材質からの組立構造等適宜の材質と構造が採用され得る。また、ごみ投入枠体２０の各ごみ投入口２３には扉が設置されてもよい。このような構成により、投入廃棄されたごみの臭気を遮断するとともに、蠅等が侵入することもなく、衛生的である。かくして、独特の構成のごみ投入枠体２０を用いることにより、同じサイズのもの同士はもとより、異なったサイズの汎用のごみ箱１０の複数個を適宜自在に組み合わせて、ごみ投入枠体２０を介して積層することができるので、積層時に下部に配置されることになる汎用のごみ箱１０に対しても、ごみ投入枠体２０を介してごみを投入廃棄することが可能となる。
【実施例２】
【００１６】
図２は本発明のごみ箱連結用投入枠の第２実施例を示すごみ投入枠体の断面図および要部拡大図である。本実施例では、前記上部段差部２２および下部段差部２４のうち、少なくとも前記下部段差部２４が階段状の段差部２６としたものである。このような構成により、多段の段差部２６のうち、異なったサイズ毎のごみ箱１０に適合する段差部が選定できて、積層時のごみ箱１０と該ごみ箱１０を受け入れたごみ投入枠体２０の選択された段差部がたつくことなく確実に嵌合される。さらに、図示矢印の拡大図に示すように、前記上部段差部２１および下部段差部２４（多段段差部では２６）の表面にスポンジ等の軟質材２７を配設してもよい。この場合は、ごみ箱１０とごみ投入枠体の段差部２６との間に隙間があっても、軟質材２７の存在によりこれらの隙間が吸収され、がたつくことなくごみ箱１０とごみ投入枠体２０が確実に嵌合される。なお、図示の例では、下部段差部２４が多段段差部２６とされたが、上部段差部２２についても多段段差部を構成することもできる。
【００１７】
図３は前記第１実施例のものにおけるごみ箱１０およびごみ投入枠体２０の梱包・輸送時の断面図である。本発明のごみ箱連結用投入枠と汎用のごみ箱とから構成される組立体の梱包・輸送時の断面図である。後述するところの、併置・連結のための雌雄の横連結部材１３、１４がごみ箱１０の側面に固着等により一体構成とされた製品であれば、それぞれを梱包して輸送しなければならないが、逆円錐形のごみ箱の利点を活かして、組付け前の雌雄の横連結部材１３、１４をごみ箱１０に収納した上（図示省略）で、図示のように複数のごみ箱１０を順次上下に嵌挿したものに、ごみ投入枠体２０を逆さにして収容することで、きわめてコンパクトに梱包して低コストで輸送に供することが可能となる。
【実施例３】
【００１８】
図４は本発明のごみ箱連結用投入枠の第３実施例を示すもので、ごみ箱を併置連結および積層した構造物の正面図である。本発明の基礎となった前記図８のものとほぼ同様の構成である。図８を参照しつつ説明すると、ごみ箱１０の側面（図示の例では両側面、場合によっては後面にも）には、ごみ箱１０の高さの半分以上の高さを有する雌横連結部材１４、および雄横連結部材１３が着脱自在に装着される。これらの雌雄の横連結部材１３、１４は、それらの装着面に形成された突起部１３Ａ、１４Ａによって、ごみ箱１０の側面に装着される。ごみ箱１０の側面の裏面に形成された薄肉部をドライバー等の工具により突き破ることで得られた孔１０Ａに、前記雌雄の横連結部材１３、１４における突起部１３Ａ、１４Ａを圧入することで、後付けにて横連結部材１３、１４をごみ箱１０に設置することができる。
【００１９】
これらの雌雄の横連結部材１３、１４には、互いに上下方向にスライドして嵌合する蟻溝状の連結部が形成され、平面視凹および凸形状を呈している。図示の例では、ごみ箱１０の両側に一個ずつの雌横連結部材１３、１４が配設されるが、複数個ずつ配設されてもよい。これらの各横連結部材について、雌横連結部材１４に対して雄横連結部材１３を上方から差し込む形態にて挿入するに際して、前記蟻溝状の連結部が、側面視で互いに係合する逆傾斜の楔状の傾斜面に形成して、互いに連結される隣接ごみ箱間のガタを吸収させるような構成とすることもできる。これら雌雄の横連結部材１３、１４の形状、形式についても適宜のものが採用され得る。本発明では、図４に示すように、これらのごみ箱１０の側面等に設置される併置連結用の連結部１３、１４に加えて、ごみ投入枠体２０の側面等に併置連結用の雌縦連結部２８および雄縦連結部２９を設置し、これらを連結することにより、さらに横連結の強度を向上させたものである。
【実施例４】
【００２０】
図５は本発明のごみ箱連結用投入枠の第４実施例を示すもので、図５（Ａ）は投入枠体における上部段差部の平面図、図５（Ｂ）はその要部斜視図である。本実施例のものは、異なったサイズの種々の汎用のごみ箱の底部あるいは上部を受け入れることができるように、ごみ投入枠体２０の上部段差部および下部段差部のうち、少なくとも一方の段差部（図示の例では上部段差部を構成する上面３０）のごみ箱受入れ径を調整可能に構成した。例えば、直径上に対抗して起立設置された第１ヒンジ３３および第２ヒンジ３４に、円弧状の第１調整翼３１および第２調整翼３２の基部が軸支され、これらのヒンジ３３、３４を中心として第１調整翼３１および第２調整翼３２が縮径方向に揺動自在に調整される。  
【００２１】
前記第１ヒンジ３３および第２ヒンジ３４にそれぞれの端部が嵌合された第１調整ねじ３９および第２調整ねじ４０が、前記第１調整翼３１および第２調整翼３２の他端部４１、４２との間に介設され、図５（Ｂ）に示すように、第１調整ねじ３９および第２調整ねじ４０に螺合された第１調整ナット４３および第２調整ナット４４の回動締付けにより、第１調整翼３１および第２調整翼３２を縮径方向に移動させて、所定の範囲内で種々の径を有するごみ箱１０を受け入れることができる。図５（Ａ）に示すように、調整翼３１、３２の他端部４１、４２の近傍には第１ガイドピン３７および第２ガイドピン３８が配設され、ごみ投入枠体３０の上面に刻設された第１ガイド溝３５および第２ガイド溝３６内を移動して、第１調整翼３１および第２調整翼３２の移動を円滑にすることができる。かくして、段差部のごみ箱受入れ径を調整することで、ごみ投入枠体２０に対して適合するごみ箱サイズをさらに無段階で自在に選定することが可能になる。
【実施例５】
【００２２】
図６は本発明のごみ箱連結用投入枠の第５実施例を示すもので、投入枠体２０における上部段差部の平面図である。本実施例では、上部段差部および下部段差部のうち、少なくとも一方の段差部（図示の例では上部段差部を構成する上面）のごみ箱受入れ径が縮径勝手に構成されたものである。図示の例では、それぞれが互いに平行な３本のガイド溝３５Ａ、３５Ｂおよび３５Ｃをそれぞれ有し、それらにガイドピン（図示省略）が収容された円弧状の３個の第１、第２および第３調整板３１Ａ、３１Ｂおよび３１Ｃが配設される。これら３個の調整板３１Ａ、３１Ｂおよび３１Ｃ間には第１、第２および第３調整ばね４５Ａ、４５Ｂおよび４５Ｃが介設される。このように構成したので、所定の異なったサイズ径のごみ箱の保持に自動的に適切に対応して、ごみ箱を積層することが可能となる。
【００２３】
以上、本発明の実施例について説明してきたが、本発明の趣旨の範囲内にて、ごみ箱の形状（上方に末広がりの逆円錐形状の他、逆角錐形状やストレートの円筒形や方形筒状などでもよい。平面視形状も、楕円形や多角形でもよい）、形式およびその材質（鋼板、アルミ等の金属、プラスチック、木材等）、ごみ投入枠体の形状（円形、角形等、ごみ箱の形状に適応した形状）、形式および材質（鋼板、アルミ等の金属、プラスチック、木材等）ならびにごみ箱との積層・嵌合形態、ごみ投入枠体における上部あるいは下部段差部の形状（平板状段差部、階段状段差部等）、形式、段差部の表面に配設される軟質材の材質（スポンジ、軟質ゴム、フェルト等）、段差部に配設されるごみ箱受入れ径の調整形態（調整翼の形状は、円弧形状に限らず、ごみ箱の形状に適合させて、カギ状、鈍角形状等、調整ねじの形式も適宜選定できる。また、調整翼の内側にも軟質材が貼設されてもよいことは言うまでもない）、ごみ箱受入れ径の縮径勝手形態（ばねの形状、形式も金属スプリングの他、ゴム紐形式でもよい）、ごみ箱側面の併置連結のための横連結部の形状、形式等については適宜選定できる。
【図面の簡単な説明】
【００２４】
【図１】本発明のごみ箱連結用投入枠の第１実施例を示すもので、図１（Ａ）はごみ投入枠体を介した積層状態を示す全体断面図、図１（Ｂ）はその分解斜視図である。
【図２】本発明のごみ箱連結用投入枠の第２実施例を示すごみ投入枠体の断面図および要部拡大図である。
【図３】ごみ箱およびごみ投入枠体の梱包・輸送時の断面図である。
【図４】本発明のごみ箱連結用投入枠の第３実施例を示すもので、ごみ箱を併置連結および積層した構造物の正面図である。
【図５】本発明のごみ箱連結用投入枠の第４実施例を示すもので、図５（Ａ）はごみ投入枠体における上部段差部の平面図、図５（Ｂ）はその要部斜視図である。
【図６】本発明のごみ箱連結用投入枠の第５実施例を示すもので、ごみ投入枠体における上部段差部の平面図である。
【図７】従来の分別収集ごみ箱の分解斜視図である。
【図８】本発明の基礎になった分別用連結ごみ箱の分解斜視図である。
【符号の説明】
【００２５】
１０      ごみ箱
２０      ごみ投入枠体
２１      上部（小径）縦連結部
２２      上部（小径）段差部
２３      ごみ投入口
２４      下部（大径）段差部
２５      下部（大径）縦連結部
２６      下部（多段）段差部
２７      軟質材（ソポンジ等）
【図１】
2006282357.tif 000003
【図２】
2006282357.tif 000004
【図３】
2006282357.tif 000005
【図４】
2006282357.tif 000006
【図５】
2006282357.tif 000007
【図６】
2006282357.tif 000008
【図７】
2006282357.tif 000009
【図８】
2006282357.tif 000010